(57)【要約】【課題】ＯＬＴが全てのＯＮＵからの応答信号を一層速やかに受信することができ、各ＯＮＵを運用状態に遷移させるための時間を一層短縮できる受動光ネットワーク並びにシリアル番号取得方法を提供することにある。【解決手段】局装置（１）は、自己が収容する各端末装置（３−１〜３−ｎ  ）のシリアル番号を取得するに際し、各端末装置（３−１〜３−ｎ  ）に対して要求信号（Ｓｅｒｉａｌ  Ｎｕｍｂｅｒ  ｒｅｑｕｅｓｔ）を送信し、前記要求信号を受信した各端末装置は、自己のシリアル番号情報を含む応答信号（ＳＮ  ｗｉｎｄｏｗ）を前記局装置にそれぞれ複数回送信する。このように、各端末装置が応答信号を複数回送信することにより、ＯＬＴが送出する要求信号の送出回数を確率的に大幅に低減することができ、一層速やかに全てのＯＮＵを運用状態に遷移させることができる。【選択図】        図２
2004274329.tif 000002
【特許請求の範囲】
【請求項１】
複数の端末装置とこれら端末装置を収容する局装置とを光分岐回路及び光線路を介して接続した受動光ネットワークであって、
前記局装置は、収容する端末装置を運用状態に遷移させるために、収容する全ての端末装置に対してシリアル番号情報の送信を要求する要求信号を一斉に送信し、
各端末装置は、前記要求信号を受信した際、局装置に対して自己のシリアル番号情報を含む応答信号を複数回送信し、
前記局装置は、各端末装置から送信された応答信号を受信した際当該端末装置を運用状態に遷移させることを特徴とする受動光ネットワーク。
【請求項２】
複数の端末装置とこれら端末装置を収容する局装置とを光分岐回路及び光線路を介して接続した受動光ネットワークにおいて、端末装置を運用状態に遷移させるために局装置が端末装置のシリアル番号を取得する方法であって、
局装置から全ての端末装置に対してシリアル番号情報の送信を要求する要求信号を一斉に送信する工程と、
前記要求信号を受信した各端末装置が自己のシリアル番号情報を含む応答信号を局装置に送信する工程と、
局装置が、各端末装置から送られてきた応答信号を受信して各端末装置を運用状態に遷移させる工程とを具え、
各端末装置は、前記局装置に対して応答信号を複数回送信することを特徴とするシリアル番号取得方法。
【請求項３】
請求項２に記載のシリアル番号取得方法において、各端末装置は、要求信号を受信した際、所定の確率分布により規定される遅延時間の経過後に局装置に前記応答信号を送信することを特徴とするシリアル番号取得方法。
【請求項４】
請求項２又は３に記載のシリアル番号取得方法において、各端末装置は、最初に応答信号を送信した後、所定の確率分布により規定される遅延時間の経過後に次の応答信号を送信することを特徴とするシリアル番号取得方法。
【請求項５】
請求項２から４までのいずれか１項に記載のシリアル番号取得方法において、各端末装置は、局装置から送られてきた要求信号を受信した際、局装置に対して応答信号を２回、３回又は４回送信することを特徴とするシリアル番号取得方法。
【請求項６】
複数の端末装置とこれら端末装置を収容する局装置とを光分岐回路及び光線路を介して接続した受動光ネットワークに用いられる端末装置であって、
局装置から送信され端末装置のシリアル番号を取得するための要求信号を受信した際、局装置に対して、自己のシリアル番号情報を含む応答信号を複数回送信する機能を有することを特徴とする端末装置。
【請求項７】
請求項６に記載の端末装置において、局装置から送られてきた要求信号を受信した後最初の応答信号を送信するまでの時間期間並びに最初の応答信号を送信した後次の応答信号を送信するまでの時間期間を、所定の確率分布に基づいて規定される時間期間としたことを特徴とする端末装置。
【発明の詳細な説明】
【０００１】
【発明の属する技術分野】
本発明は、複数の端末装置とこれら端末装置を収容する局装置とを光分岐回路及び光線路を介して接続した受動光ネットワーク（Ｐａｓｓｉｖｅ  Ｏｐｔｉｃａｌ  Ｎｅｔｗｏｒｋ；ＰＯＮ）に関するものである。
さらに、本発明は、受動光ネットワークにおいて、ＯＬＴ（Ｏｐｔｉｃａｌ  Ｌｉｎｅ  Ｔｅｒｍｉｎａｌ；局装置）が運用状態になっていないＯＮＵ（Ｏｐｔｉｃａｌ  Ｎｅｔｗｏｒｋ  Ｕｎｉｔ；端末装置）からシリアル番号信号を取得する際のシリアル番号取得方法、特にＧＰＯＮ（Ｇｉｇａｂｉｔ−Ｃａｐａｂｌｅ  Ｐａｓｓｉｖｅ  Ｏｐｔｉｃａｌ  Ｎｅｔｗｏｒｋ）においてシリアル番号を取得する際に好適なシリアル番号取得方法に関するものである。
さらに、本発明は、受動光ネットワークに用いられる端末装置にも関するものである。
【０００２】
【従来の技術】
ＰＯＮは、複数のＯＮＵとこれらＯＮＵを収容するＯＬＴとを光ファイバ及び光スプリッタ（光分岐回路）を用いて接続し、各ＯＮＵから送信された信号を局装置を介して伝送する技術であり、例えばＩＴＵ−Ｔの勧告Ｇ．９８３．１”Ｂｒｏａｄｂａｎｄ  ｏｐｔｉｃａｌ  ａｃｃｅｓｓ  ｓｙｓｔｅｍｓ  ｂａｓｅｄ  ｏｎ  Ｐａｓｓｉｖｅ  Ｏｐｔｉｃａｌ  Ｎｅｔｗｏｒｋｓ（ＰＯＮ）”で規定されている。ＧＰＯＮは、ＯＬＴとＯＮＵとを光ファイバと光スプリッタで接続し、１．２４４１６Ｇｂｉｔ／ｓまたは２．４８８３２Ｇｂｉｔ／ｓで信号の伝送を行う技術であり、現在ＩＴＵ−Ｔ等（Ｉｎｔｅｒｎａｔｉｏｎａｌ  Ｔｅｌｅｃｏｍｍｕｎｉｃａｔｉｏｎ  Ｕｎｉｏｎ）で仕様の検討が行われている。
【０００３】
ＧＰＯＮにおいては、ＯＬＴは、運用状態でないＯＮＵを運用状態にするためにそのＯＮＵのシリアル番号を取得する必要がある。そのために、ＯＬＴは収容している全てのＯＮＵへＳｅｒｉａｌ−Ｎｕｍｂｅｒ  ｒｅｑｕｅｓｔという要求信号を送信する。運用状態でないＯＮＵは、Ｓｅｒｉａｌ−Ｎｕｍｂｅｒ  ｒｅｑｕｅｓｔを受信した際、ランダムな遅延時間の後にＳＮ  ｗｉｎｄｏｗという応答信号をＯＬＴへ送信する。ＳＮ  ｗｉｎｄｏｗにはシリアル番号情報が含まれているので、ＯＬＴがＳＮ  ｗｉｎｄｏｗを受信すれば、そのＯＮＵのシリアル番号を取得できる。ＯＬＴに接続されているＯＮＵは複数であるため、あるＯＮＵが送信したＳＮ  ｗｉｎｄｏｗが他のＯＮＵが送信したＳＮ  ｗｉｎｄｏｗとＯＬＴまでの伝送路上で衝突することが起こり得る。すなわち、ＯＬＴは各ＯＮＵまでの距離を把握できないため、ＳＮ  ｗｉｎｄｏｗ信号が衝突しないように各端末装置毎に遅延時間を設定することができず、応答信号が衝突する問題が発生してしまう。一方、ＳＮ  ｗｉｎｄｏｗ同士が衝突すると、ＯＬＴはＳＮ  ｗｉｎｄｏｗを正しく受信できないので、ＯＬＴは衝突したＳＮ  ｗｉｎｄｏｗを送信したＯＮＵのシリアル番号を取得できない。従って、そのＯＮＵのシリアル番号を取得するために、再度Ｓｅｒｉａｌ−Ｎｕｍｂｅｒ  ｒｅｑｕｅｓｔを送信する必要がある。
【０００４】
本発明者が、受動光ネットワークのシリアル番号取得方法関して、関連する先行技術文献について下記の検索条件で調査を行ったが、先行技術として開示すべき特許文献を見出すことはできなかった。
検索対象：平成５年以降の出願公開公報及び平成６年以降の特許公報
検索方法：下記の論理式で全文検索を行った。
（ＰＯＮ＋ＰＤＳ＋ＧＰＯＮ＋受動光網）×（シリアル番号）×（複数）
【０００５】
【発明が解決しようとする課題】
さて、ＯＬＴに複数のＯＮＵが接続されているとき、ＯＬＴと光スプリッタとの間の光ファイバに一時的な故障が発生すると、全てのＯＮＵが運用状態でなくなり、通信サービスが中断してしまう。あるいは、全てのＯＮＵが一つの建物に設置されており、それらのＯＮＵへの給電設備に故障が発生すると、全てのＯＮＵが運用状態でなくなり、通信サービスが中断する。光ファイバまたは給電設備等の故障が復旧した後、ＯＬＴは、全てのＯＮＵを再び運用状態にするために全てのＯＮＵのシリアル番号を取得する必要がある。一方、ＯＬＴがＳｅｒｉａｌ−Ｎｕｍｂｅｒ  ｒｅｑｕｅｓｔを送信すると、全てのＯＮＵがいっせいにＳＮ  ｗｉｎｄｏｗを送信するので、伝送路上でＳＮ  ｗｉｎｄｏｗが衝突し易い状態が発生してしまう。すなわち、要求信号を受信した後応答信号を送信するまでの遅延時間を各ＯＮＵ毎にＳＮ  ｗｉｎｄｏｗ同士が衝突しないように設定することができないため、応答信号が衝突する問題が発生する。このため、全てのＯＮＵを再び運用状態にするまでに時間がかかり、サービス中断時間が長くなるという問題がある。特に、データ伝送が一層高速で行われるＧＰＯＮにおいては、ＯＮＵを運用状態に遷移させるための時間が長時間かかることは、重大な問題となってしまう。
【０００６】
本発明の目的は、上述した欠点を解消し、各ＯＮＵに要求信号を送信した際、ＯＬＴが全てのＯＮＵからの応答信号を一層速やかに受信することができ、各ＯＮＵを運用状態に遷移させるための時間を一層短縮できる受動光ネットワークを提供することにある。
さらに、本発明の別の目的は、受動光ネットワークにおいて、各ＯＮＵから送信された応答信号を一層速やかに取得できるシリアル番号取得方法を実現することにある。
さらに、本発明の別の目的は、高速でのデータ伝送に好適な端末装置を提供することにある。
【０００７】
【課題を解決するための手段】
上記課題を解決するため、本発明による受動光ネットワークは、複数の端末装置とこれら端末装置を収容する局装置とを光分岐回路及び光線路を介して接続した受動光ネットワークであって、
前記局装置は、収容する端末装置を運用状態に遷移させるために、収容する全ての端末装置に対してシリアル番号情報の送信を要求する要求信号を一斉に送信し、
各端末装置は、前記要求信号を受信した際、局装置に対して自己のシリアル番号情報を含む応答信号を複数回送信し、
前記局装置は、各端末装置から送信された応答信号を受信した際当該端末装置を運用状態に遷移させることを特徴とする。
【０００８】
【作用】
ＯＬＴとＯＮＵが光ファイバと光スプリッタで接続されているＧＰＯＮを考える。
ＯＬＴがＳｅｒｉａｌ−Ｎｕｍｂｅｒ  ｒｅｑｕｅｓｔ（要求信号）を送信してからそれに対する返答であるＳＮ  ｗｉｎｄｏｗ（応答信号）がＯＬＴに到着するまでの時間は、Ｓｅｒｉａｌ−Ｎｕｍｂｅｒ  ｒｅｑｕｅｓｔがＯＬＴからＯＮＵまで伝送される時間（ｔ１）と、ＯＮＵ内でのＳｅｒｉａｌ−Ｎｕｍｂｅｒ  ｒｅｑｕｅｓｔに対応してＳＮ  ｗｉｎｄｏｗを送信するまでの時間（ｔ２）と、ＳＮ  ｗｉｎｄｏｗがＯＮＵからＯＬＴまで伝送される時間（ｔ３）の合計である。ｔ１＋ｔ２＋ｔ３の上限値をＬとする。Ｌの具体的な値としては、例えば、ＯＬＴとＯＮＵの間の光ファイバの往復の最大長が４０ｋｍの場合にレーザ光が往復する時間２００μｓと、ＯＮＵ内でのＳｅｒｉａｌ−Ｎｕｍｂｅｒ  ｒｅｑｕｅｓｔに対応してＳＮ  ｗｉｎｄｏｗを送信するまでの時間の上限値を２０μｓとした場合の２０μｓとを合計した２２０μｓがある。ｔ１＋ｔ２＋ｔ３の下限値は０である。
【０００９】
ＳＮ  ｗｉｎｄｏｗの時間上の長さをＴとする。Ｔの具体的な値としては、例えば、ＳＮ  ｗｉｎｄｏｗの長さが５０バイト、伝送ビットレートが１．２４４Ｇｂｉｔ／ｓの場合、約０．３μｓである。
ＳＮ  ｗｉｎｄｏｗ  が衝突する確率を計算する。２個のＯＮＵが収容され、ＯＮＵが設置される場所はランダム、つまり、ＯＬＴとＯＮＵの間の距離はランダムであるとする。ＯＮＵ内でのＳｅｒｉａｌ−Ｎｕｍｂｅｒ  ｒｅｑｕｅｓｔに対応してＳＮ  ｗｉｎｄｏｗを送信するまでの時間もランダムとした場合、ＯＬＴがＳｅｒｉａｌ−Ｎｕｍｂｅｒ  ｒｅｑｕｅｓｔを送信してからそれに対応するＳＮ  ｗｉｎｄｏｗがＯＬＴに到着するまでの時間はランダムである。ＳＮ  ｗｉｎｄｏｗ同士が衝突するのは、あるＯＮＵからのＳＮ  ｗｉｎｄｏｗと別のＯＮＵからのＳＮ  ｗｉｎｄｏｗの一部が重なる場合である。したがって、ＯＮＵがＳＮ  ｗｉｎｄｏｗを１回送信する場合の、ＳＮ  ｗｉｎｄｏｗ同士が衝突しない確率はおよそ１−２Ｔ／Ｌである。この確率の具体的な値としては、Ｌ＝２２０μｓ、Ｔ＝０．３μｓの場合、０．９９７となる。
【００１０】
次に、ＯＮＵがＳＮ  ｗｉｎｄｏｗを時間的に間隔をもって２回送信する場合の、ＳＮ  ｗｉｎｄｏｗ同士が２回とも衝突することはない確率はおよそ１−（２Ｔ／Ｌ）２である。この確率の具体的な値としては、Ｌ＝２２０μｓ、Ｔ＝０．３μｓの場合、０．９９９９９３である。ＳＮ  ｗｉｎｄｏｗを２回送信した方が、ＯＬＴが衝突していないＳＮ  ｗｉｎｄｏｗを受信する確率が増すことがわかる。これは、Ｌに比較してＴがかなり小さいため、ＳＮ  ｗｉｎｄｏｗを１回しか送信しない場合のＳＮ  ｗｉｎｄｏｗの衝突確率が１よりもかなり小さく、２回送信することにより衝突確率を更に一層小さくすることができるからである。
【００１１】
以上のように、ＳＮ  ｗｉｎｄｏｗを複数回送信することにより、全てのＳＮ  ｗｉｎｄｏｗが衝突する確率を減少させ、したがって、ＯＬＴが少なくとも一つの衝突しないＳＮ  ｗｉｎｄｏｗを受信する確率を増やすことができる。したがって、統計的にサービス中断時間を短縮することが可能である。
【００１２】
上述した認識に基づき、本発明によるシリアル番号取得方法は、複数の端末装置とこれら端末装置を収容する局装置とを光分岐回路及び光線路を介して接続した受動光ネットワークにおいて、端末装置を運用状態に遷移させるために局装置が端末装置のシリアル番号を取得する方法であって、
局装置から全ての端末装置に対してシリアル番号情報の送信を要求する要求信号を一斉に送信する工程と、
前記要求信号を受信した各端末装置が自己のシリアル番号情報を含む応答信号を局装置に送信する工程と、
局装置が、各端末装置から送られてきた応答信号を受信して各端末装置を運用状態に遷移させる工程とを具え、
各端末装置は、前記局装置に対して応答信号を複数回送信することを特徴とする。
【００１３】
さらに、本発明による端末装置は、複数の端末装置とこれら端末装置を収容する局装置とを光分岐回路及び光線路を介して接続した受動光ネットワークに用いられる端末装置であって、
局装置から送信され端末装置のシリアル番号を取得するための要求信号を受信した際、局装置に対して、自己のシリアル番号情報を含む応答信号を複数回送信する機能を有することを特徴とする。このように、各端末装置が応答信号を複数回送信する機能を有することにより、全ての端末装置を一層速やかに運用状態に遷移させることができ、データ伝送を高速に行うＧＰＯＮに有益な端末装置を実現することができる。
【００１４】
【実施例】
以下、図面を参照し、本発明の実施例について説明する。図１は、本発明による受動光ネットワークの一例の構成を示す線図である。受動光ネットワーク（加入者ユーザ分岐ネットワーク）には、複数のＯＮＵを収容するＯＬＴ１が接続されている。ＯＬＴ１には、光線路を介して光スプリッタ２が接続され、この光スプリッタ２には光線路を介して複数の（図面上ｎ個の）ＯＮＵ３−１〜３−ｎを接続する。
【００１５】
ＯＬＴ１は、全ての端末装置３−１〜３−ｎを運用状態に遷移させる場合、ＯＬＴ１から全てのＯＮＵに対して要求信号を一斉に送信する。各端末装置は、要求信号を受信した際ＯＬＴ１に対して応答信号を複数回送信する機能を有する。そして、要求信号を受信した後、所定の確率分布により規定される所定の遅延時間（時間期間）経過後にそれぞれ応答信号をＯＬＴ１に向けて送出する。この確率分布として、例えば一様分布を用いることができる。この応答信号の送出は、２回、３回又は４回等の複数回送信するものとする。ただし、全てのＯＮＵについて同一の送信回数に設定する。尚、この送信回数は、必ずしも同一に設定する必要はなく、相違させることもできる。また、第１の応答信号を送信した後第２の応答信号を送信するまでの遅延時間も所定の確率分布、例えば一様分布に従うものとして設定する。ＯＬＴは、各ＯＮＵから送られてきた応答信号を受信し、受信した応答信号から各端末装置のシリアル番号をそれぞれ取得し、各端末装置を運用状態に遷移させる。
【００１６】
次に、ＯＮＵを運用状態とするため、ＯＬＴ１が各ＯＮＵからシリアル番号を取得する際の動作について説明する。本例では、説明を明瞭にするため、２つのＯＮＵ３−１及び３−２からシリアル番号を取得する例について説明する。図２は、ＯＬＴ１が２つのＯＮＵ３−１及びＯＮＵ３−２のシリアル番号をほぼ同時に取得する際の信号同士の時間関係を示す図である。ＯＮＵのシリアル番号の取得に際し、ＯＬＴ１は収容している全てのＯＮＵ３−１〜３−ｎに対して同時にＳｅｒｉａｌ−Ｎｕｍｂｅｒ  ｒｅｑｕｅｓｔ（要求信号）を送信する。本例では、Ｓｅｒｉａｌ−Ｎｕｍｂｅｒ  ｒｅｑｕｅｓｔに対して、各ＯＮＵはＯＬＴ１に対して応答信号を２回送信するものとする。ＯＬＴ１が送信したＳｅｒｉａｌ−Ｎｕｍｂｅｒ  ｒｅｑｕｅｓｔに対して、ＯＮＵ３−１は、応答信号として自身のシリアル番号情報を含むＳＮ  ｗｉｎｄｏｗ  ３−１ａと３−１ｂを送信し、ＯＮＵ３−２はＳＮ  ｗｉｎｄｏｗ  ３−２ａと３−２ｂを送信する。図２に示す例では、ＯＮＵ３−１から送信された最初のＳＮ  ｗｉｎｄｏｗ  ３−１ａと、ＯＮＵ３−２から送信された最初のＳＮ  ｗｉｎｄｏｗ  ３−２ａとが衝突し、２回目に送信されたＳＮ  ｗｉｎｄｏｗ  ３−１ｂとＳＮ  ｗｉｎｄｏｗ  ３−２ｂとは衝突せずにＯＬＴ１に良好に受信された状態を描いている。
【００１７】
各ＯＮＵがＳＮ  ｗｉｎｄｏｗを１回しか送信しない場合、各ＯＮＵが送信した最初のＳＮ  ｗｉｎｄｏｗ同士が衝突しているので、ＯＬＴ１は再度Ｓｅｒｉａｌ−Ｎｕｍｂｅｒ  ｒｅｑｕｅｓｔを送信しないとＯＮＵのシリアル番号を取得できない。この場合の信号同士の時間の関係を図３に示す。図３において、ＯＬＴ１からの最初のＳｅｒｉａｌ−Ｎｕｍｂｅｒ  ｒｅｑｕｅｓｔを受信後、２つのＯＮＵが応答信号を送信した結果、ＳＮ  ｗｉｎｄｏｗ  ３−１とＳＮ  ｗｉｎｄｏｗ  ３−２とが衝突し、ＯＬＴ１が各ＯＮＵからの応答信号を受信できなかった状態を示す。ＯＬＴ１は各ＯＮＵから応答信号を受信しなかったため、相当の時間経過後に再度Ｓｅｒｉａｌ−Ｎｕｍｂｅｒ  ｒｅｑｕｅｓｔを各ＯＮＵに対して送信する。２回目のＳｅｒｉａｌ−Ｎｕｍｂｅｒ  ｒｅｑｕｅｓｔの受信に応答し、ＯＮＵ３−１及び３−２はＳＮ  ｗｉｎｄｏｗ３−１ｂ及び３−２ｂをそれぞれ送信し、これら応答信号はどのＳＮ  ｗｉｎｄｏｗ  とも衝突していないので、ＯＬＴはこれらの応答信号を正しく受信する。図２と図３との比較結果から明らかなように、Ｓｅｒｉａｌ−Ｎｕｍｂｅｒ  ｒｅｑｕｅｓｔを２回送信して初めて各ＯＮＵのシリアル番号を取得する場合よりも、１回のＳｅｒｉａｌ−Ｎｕｍｂｅｒ  ｒｅｑｕｅｓｔに対して各ＯＮＵが２回応答信号を送信して各ＯＮＵのシリアル番号を取得する方が一層短時間で処理を完了することができる。
【００１８】
次に、シミュレーション結果について説明する。ＯＬＴが全てのＯＮＵのシリアル番号を取得するまでにＯＬＴが送信するＳｅｒｉａｌ−Ｎｕｍｂｅｒ  ｒｅｑｕｅｓｔの回数を、数値シミュレーションで評価した。シミュレーションで使用したパラメータは以下のように設定した。
（ａ）伝送速度は、下り上りとも１．２４４１６Ｇｂｉｔ／ｓとする。
（ｂ）ＯＬＴとＯＮＵとの間の往復の伝送距離は、最小値が０ｋｍで最大値が４０ｋｍの一様分布に従う確率変数とする。
（ｃ）ＯＮＵがＳｅｒｉａｌ−Ｎｕｍｂｅｒ  ｒｅｑｕｅｓｔを受信してからそのＳｅｒｉａｌ−Ｎｕｍｂｅｒ  ｒｅｑｕｅｓｔに対するＳＮ  ｗｉｎｄｏｗを送信するまでの遅延時間は、最小値が０μｓで最大値が２０μｓの一様分布に従う確率変数とする。ただし、一つのＯＮＵが送信するＳＮ  ｗｉｎｄｏｗ同士が衝突しないように、それらの間隔を調整する。
（ｄ）ＳＮ  ｗｉｎｄｏｗのバイト長は５０バイト。
ＯＮＵが送信するＳＮ  ｗｉｎｄｏｗの回数を、１回、２回、３回および４回の場合の各々についてシミュレーションを１０万回実施した。シミュレーション結果を図４のグラフに示す。図４では、横軸にシリアル番号を取得する対象のＯＮＵの接続台数を取り、縦軸にＯＬＴがそれらのＯＮＵのシリアル番号を取得するまでに送信したＳｅｒｉａｌ−Ｎｕｍｂｅｒ  ｒｅｑｕｅｓｔの回数の１０万回の平均値を取っている。グラフから明らかに、ＳＮ  ｗｉｎｄｏｗを１回だけ送信するよりも２回以上送信した方がＳｅｒｉａｌ−Ｎｕｍｂｅｒ  ｒｅｑｕｅｓｔを送信する回数が少ないことが読み取れる。したがって２回以上送信した方が、ＯＬＴがシリアル番号を取得するのに要する時間も短くて済むことになる。
【００１９】
【発明の効果】
以上説明したように、この発明によれば、受動光網において、ＯＬＴがＯＮＵのシリアル番号を短時間に取得する確率を増やせるという効果がある。
【図面の簡単な説明】
【図１】本発明による受動光ネットワークの一例の構成を示す線図である。
【図２】本発明によるＯＮＵのシリアル番号の取得に関わる信号同士の時間関係を示す図であり、ＯＮＵが１つのＳｅｒｉａｌ−Ｎｕｍｂｅｒ  ｒｅｑｕｅｓｔにつきＳＮ  ｗｉｎｄｏｗを２回ＯＬＴへ送信する場合を示している。
【図３】ＯＬＴとＯＮＵの間で送受信される、ＯＮＵのシリアル番号の取得に関わる信号同士の時間関係を示す図であり、ＯＮＵが１つのＳｅｒｉａｌ−Ｎｕｍｂｅｒ  ｒｅｑｕｅｓｔにつきＳＮ  ｗｉｎｄｏｗを１回しかＯＬＴへ送信しない場合を示している。
【図４】本発明による効果を示すシミュレーション結果のグラフである。
【符号の説明】
１  ＯＬＴ
２  光スプリッタ
３−１〜３−ｎ  ＯＮＵ
【図１】
2004274329.tif 000003
【図２】
2004274329.tif 000004
【図３】
2004274329.tif 000005
【図４】
2004274329.tif 000006